(57)【特許請求の範囲】
【請求項１】
吸込口及び送風手段を有する本体部と、
前記吸込口に連通する流入部を中央側に有し、前記本体部に対して軸線の周りに回転可能に配置され、前記送風手段により前記吸込口から吸い込まれ前記流入部を通過した空気を前記軸線と交差する方向へ吹き出す吹出口が側部に設けられた回転部と、
を備え、
前記送風手段は、回転軸が水平方向に配置され、
前記流入部に連通する前記送風手段の送出部を中央側に備え、
前記送風手段により前記吸込口から吸い込まれた空気は、前記送出部から上向きに送出され、前記流入部を通過し、前記吹出口から排出される、送風装置。
【請求項２】
前記流入部は、前記軸線が前記流入部の中心を通るように配置されている、請求項１に記載の送風装置。
【請求項３】
前記回転部は、前記軸線と同心に設けられた前記軸線の方向に貫通する開口部を有し、
前記開口部内に前記本体部側と固定される固定頂部をさらに備え、
前記流入部を通過した空気が前記固定頂部により前記軸線と交差する方向へ偏向され、前記吹出口から吹き出される、請求項１又は請求項２に記載の送風装置。
【発明の詳細な説明】
【技術分野】
【０００１】
本発明は、送風装置に関する。送風装置とは、吸込口から空気を吸引し、何らかの処理を加え又は加圧以外の処理を加えることなく、吹出口から空気を吹き出す装置をいう。例えば、送風装置には、除湿機、加湿器、空気調和機、サーキュレータ、冷風機、温風機、及び扇風機等が該当する。
【背景技術】
【０００２】
吹出口から風（空気）が吹き出す方向を変化させることができる除湿機や加湿器が従来から提案されている。例えば、この種の加湿器が、特許文献１に開示されている。
【０００３】
特許文献１の加湿器は、吸込口及びファンを有する本体部の本体ケース及び本体ケースの上部に配置された風向変更部を有する。風向変更部は、本体ケースに対して回転可能である。また、風向変更部は、その側面に加湿した空気を吹き出すためのスポット用吹出口を有する。
【０００４】
しかし、特許文献１の加湿器では、空気が本体部から風向変更部へ流入する際、本体部の周囲側から流入し、風向変更部内の空気流路が複雑である。従って、風向変更部の回転位置によっては、本体部から風向変更部に流入した空気が、吹出口から吹き出されるまでに長い流動距離及び大きな偏向を要する。これにより、吹き出す空気の圧力損失を生じ、送風効率が低下する。
【先行技術文献】
【特許文献】
【０００５】
【特許文献１】特開２０１４−２０７０７号公報
【発明の概要】
【発明が解決しようとする課題】
【０００６】
本発明は、空気の吹出方向を変化させることができるが、空気の流路が簡単な構成の送風装置を提供することを課題とする。
【課題を解決するための手段】
【０００７】
本発明は、吸込口及び送風手段を有する本体部と、前記吸込口に連通する流入部を中央側に有し、前記本体部に対して軸線の周りに回転可能に配置され、前記送風手段により前記吸込口から吸い込まれ前記流入部を通過した空気を前記軸線と交差する方向へ吹き出す吹出口が側部に設けられた回転部とを備える、送風装置を提供する。また、前記流入部は、前記軸線が前記流入部の中心を通るように配置されていることが好ましい。
【０００８】
この送風装置によれば、空気が通過する流入部を回転部の中央側に配置したことで、空気の吹出方向を変化させることができるが、空気の流路を簡単な構成にできる。吸込口から吸引した空気は、装置内部を通り回転部において回転する吹出口へ向けて偏向される。このとき、空気は回転部の中央側に配置された流入部を通過し、吹出口から吹き出されている。従って、いずれの方向に吹出口が向いている場合でも、流入部が回転部の中央側に設けられていることで回転部の側部に設けられている吹出口から空気を簡単な経路で吹き出すことができる。このため、空気流路が複雑になり、圧力の損失を防止できる。
【０００９】
前記回転部は、前記本体部との間に前記軸線の方向に隙間をもって配置されており、前記回転部と前記本体部のうちの一方は、第１の受面を備え、前記回転部と前記本体部のうちの他方は、前記第１の受面に当接する第１の当接部を備えることが好ましい。
【００１０】
この送風装置によれば、第１の当接部を備えることで回転部と本体部との間の摩擦を低減でき、回転部の回転抵抗を低減できる。
【００１１】
前記第１の当接部は、前記第１の受面の上を転動する第１の転動体の一部であることが好ましい。
【００１２】
第１の当接部が、第１の転動体の一部であることで、回転部の回転抵抗をより低減できる。ここで、第１の転動体は、軸を有する車輪型のものに加え、軸を有さないボール型のものも含む。
【００１３】
前記回転部は、前記軸線と同心に設けられた前記軸線の方向に貫通する開口部を有し、前記開口部内に前記本体部と固定される固定頂部をさらに備え、前記流入部を通過した空気が前記固定頂部により前記軸線と交差する方向へ偏向され、前記吹出口から吹き出されることが好ましい。
【００１４】
この送風装置によれば、固定頂部により流入部を通過した空気を吹出口に向けて偏向できる。
【００１５】
前記回転部と前記固定頂部との間には隙間が設けられ、前記回転部の内側部と前記固定頂部の外側部のうちの一方は、第２の受面を備え、前記回転部の内側部と前記固定頂部の外側部のうちの他方は、前記第２の受け面と当接する第２の当接部を有することが好ましい。
【００１６】
この送風装置によれば、第２の当接部を備えることで回転部の回転抵抗をより低減できると共に、回転部の水平方向の可動範囲を規制できる。
【００１７】
前記第２の当接部は、前記第２の受面の上を転動する第２の転動体の一部であることが好ましい。
【００１８】
第２の当接部が、第２の転動体の一部であることで、回転部の回転抵抗をより低減できる。ここで、第２の転動体は、軸を有する車輪型のものに加え、軸を有さないボール型のものも含む。
【発明の効果】
【００１９】
本発明によれば、送風装置において空気が通過する流入部を回転部の中央側に配置したことで、空気の吹出方向を変化させることができるが、空気の流路を簡単な構成にできる。
【図面の簡単な説明】
【００２０】
【図１】本発明の第１実施形態に係る除湿機の斜視図。
【図２】図１の除湿機の分解斜視図。
【図３Ａ】図２の本体を正面側から見た斜視図。
【図３Ｂ】図２の本体を背面側から見た斜視図。
【図４】第１実施形態に係る除湿機の概念的な断面図。
【図５】除湿機のシステム図。
【図６】図２のヘッド部の分解斜視図。
【図７】図６のヘッド部の一部を下側から見た斜視図。
【図８Ａ】回転本体部を下側から見た斜視図。
【図８Ｂ】図８Ａの部分拡大図。
【図９Ａ】回転本体部を上側から見た斜視図。
【図９Ｂ】図９Ａの部分拡大図。
【図１０】第２実施形態に係る除湿機の概念的な断面図。
【図１１Ａ】第３実施形態に係る第１の当接部を下側から見た斜視図。
【図１１Ｂ】第３実施形態に係る第２の当接部を上側から見た斜視図
【発明を実施するための形態】
【００２１】
以下、本発明の実施の形態を図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。
【００２２】
（第１実施形態）
図１から図３Ｂは本発明の実施形態に係る除湿機１を示す。図４は除湿機１の概念的な断面図である。図５は除湿機１のシステム図である。
【００２３】
（全体構成）
図１及び図２を参照すると、除湿機１は、円柱形状の外観を有し、本体（本体部）１００と、本体１００の上部に配置されたヘッド部６００と、本体１００の下部に配置された貯水部７００とを備える。除湿機１は、本体１００の吸込口１１２から吸引した外部（例えば除湿対象の室内）の空気（処理空気）を、本体１００内で除湿ロータ２００による水分吸着により除湿する。除湿された処理空気は、ヘッド部６００の吹出口６４２から外部へ吐出される。除湿ロータ２００に吸着された水分は、本体１００内の閉経路を循環する空気（再生空気）により回収され、貯水部７００の貯水タンク７２０内に貯留される。
【００２４】
ヘッド部６００は、本体１００の軸線Ｌを中心として回転可能な送風部６４０を備える。送風部６４０は、図１に示す位置を基準（基準位置）として、収容ケース（固定頂部）６８０回りを略±１８０度の範囲で周方向Ａに往復（首振り）回転できる。送風部６４０の吹出口６４２には可動式のルーバー６６０が配置されている。ルーバー６６０は、上下方向Ｂの設定範囲で揺動可能である。
【００２５】
図４及び図５に示すように、除湿機１は、破線で示す処理空気が流れる経路（処理空気経路）２と、実線で示す再生空気が流れる経路（再生空気経路）３とを備える。除湿ロータ２００は、処理空気経路２及び再生空気経路３に跨がって配置されている。除湿機１は、除湿ロータ２００の一面側（吸込口１１２側）に、再生空気及び除湿ロータ２００を加熱するヒータ（加熱手段）２５０を備える。また、除湿機１は、除湿ロータ２００の一面側に配置された主熱交換器（第１熱交換器）３００と、除湿ロータ２００の他面側に配置された副熱交換器（第２熱交換器）３５０とを備える。さらに、除湿機１は、処理空気を吸引及び吐出するための処理空気ファン（送風手段）４００と、再生空気を循環させるための再生空気ファン４５０とを備える。
【００２６】
図１から図３Ｂに示すように、本体１００は、除湿ロータ２００、ヒータ２５０、主熱交換器３００、副熱交換器３５０、処理空気ファン４００、及び再生空気ファン４５０を含む部品を配置するベース１０１を備える。ベース１０１は、下端に位置する平面視円形状の基部１０２と、基部１０２から矩形状をなすように立設した立壁部１０３とを備える。ベース１０１の外周部は、半円筒状である樹脂製の外装パネル１１０Ａ，１１０Ｂにより覆われている。外装パネル１１０Ａ，１１０Ｂは、内面側に金属製の補強パネル１１１Ａ，１１１Ｂを備える。一方の外装パネル１１０Ａには、室内の空気を取り入れるための吸込口１１２が設けられている。吸込口１１２は、上下方向に延びる多数条のスリットからなる。なお、吸込口１１２の内面側には、図示しないフィルタが外装パネル１１０Ａに沿って着脱可能に配置されている。
【００２７】
（処理空気経路）
図４及び図５に示すように、処理空気経路２は、吸込口１１２から吹出口６４２までを接続している。処理空気経路２には、吸込口１１２から吹出口６４２に向けて処理空気が流れる方向に沿って順に、主熱交換器３００、除湿ロータ２００、副熱交換器３５０、及び処理空気ファン４００が配置されている。
【００２８】
図５に最も明瞭に示すように、処理空気経路２は、第１から第５の部分２ａ〜２ｅを備える。第１部分２ａは、吸込口１１２から主熱交換器３００までを接続している。図４に示すように、第１部分２ａは、吸込口１１２と主熱交換器３００との間に形成された空間からなる。第２部分２ｂは、主熱交換器３００から除湿ロータ２００までを接続している。図４に示すように、第２部分２ｂは、主熱交換器３００と除湿ロータ２００との間に形成された空間からなる。第３部分２ｃは、除湿ロータ２００から副熱交換器３５０までを接続している。図４に示すように、第３部分２ｃは、除湿ロータ２００と副熱交換器３５０との間に形成された空間からなる。第４部分２ｄは、副熱交換器３５０から処理空気ファン４００までを接続している。図４に示すように、第４部分２ｄは、副熱交換器３５０と処理空気ファン４００の吸込口との間に形成された空間からなる。第５部分２ｅは、処理空気ファン４００の吐出口から吹出口６４２までを接続している。図４に示すように、第５部分２ｅは、処理空気ファン４００のファンケース４１０の送出部４１１、及びヘッド部６００の送風案内部６４１を備える。
【００２９】
処理空気ファン４００が駆動されると、吸込口１１２から処理空気が吸い込まれる。処理空気は、主熱交換器３００で昇温された後、除湿ロータ２００を通過する際に除湿される。ついで、副熱交換器３５０で更に昇温された後、処理空気ファン４００のファンケース４１０内に流入する。その後、ファンケース４１０の送出部４１１から上向きに送出され、ヘッド部６００の吹出口６４２から室内へ排出される。
【００３０】
（再生空気経路）
図４及び図５に示すように、再生空気経路３には、ヒータ２５０を起点として再生空気が流れる方向に従って順に、除湿ロータ２００、副熱交換器３５０、主熱交換器３００、及び再生空気ファン４５０が配置されている。
【００３１】
図５に最も明瞭に示すように、再生空気経路３は、第１から第５の部分３ａ〜３ｅを備える。第１部分３ａは、再生空気ファン４５０の吐出口からヒータ２５０までを接続している。図３Ａ，Ｂ及び図４に示すように、第１部分３ａは、再生空気ファン４５０のファンケース４６０とヒータ２５０のヒータケース２６０の間のダクト部４６２を備える。第２部分３ｂは、ヒータ２５０から除湿ロータ２００までを接続している。図４に示すように、第２部分３ｂは、ヒータケース２６０中のヒータ２５０と除湿ロータ２００との間に形成された空間（隙間）からなる。第３部分３ｃは、除湿ロータ２００から副熱交換器３５０までを接続している。図４に示すように、第３部分３ｃは、副熱交換器３５０の上部ヘッダ３７０の内部空間からなる。第４部分３ｄは、副熱交換器３５０から主熱交換器３００までを接続している。図３Ａ，Ｂ及び図４に示すように、第４部分３ｄは、副熱交換器３５０の下部ヘッダ３８０、ダクト部材５００、及び主熱交換器３００の上部ヘッダ３２０を備える。第５部分３ｅは、主熱交換器３００から再生空気ファン４５０までを接続している。図３Ｂ及び図４に示すように、第５部分３ｅは、主熱交換器３００の下部ヘッダ３３０と再生空気ファン４５０のファンケース４６０の間のダクト部４６１を備える。
【００３２】
再生空気ファン４５０が駆動されると、再生空気ファン４５０から送出された再生空気は、ヒータ２５０で加熱される。ついで、再生空気は、除湿ロータ２００を通過する際に、除湿ロータ２００が吸着した水分を回収（吸着）した後、副熱交換器３５０で冷却される。ついで、ダクト部材５００を通って主熱交換器３００に流入し、再び冷却される。その後、再生空気は、再生空気ファン４５０に戻り、再びヒータ２５０へ送出される。
【００３３】
（ヘッド部の詳細）
図６はヘッド部６００の分解斜視図である。図４及び図６に示すように、ヘッド部６００は、本体１００の上端に固定されたヘッドベース６１０と、ヘッドベース６１０に回転可能に配置された送風部（回転部）６４０と、送風部６４０をヘッドベース６１０との間に挟み込む収容ケース（固定頂部）６８０とを備える。
【００３４】
図６に示すように、ヘッドベース６１０は、いずれも平面視で概ね円環状の金属製のベース本体６２０と、樹脂製のベースカバー６３０とを備え、これらがネジ止めにより固定されている。ベース本体６２０は、実質的な中央に本体１００の送出部４１１に連通する連通口６２１を備える。ベースカバー６３０は、連通口６２１に連通する連通口６３１を備える。ベースカバー６３０には、連通口６３１の内周部から上向きに突出するボス６３２が設けられている。
【００３５】
図６に示すように、送風部６４０は、ヘッドベース６１０に軸線Ｌ方向に隙間を持って載置された回転本体部６５０と、回転本体部６５０を覆う外装カバー６７０とを備え、これらがネジ止めにより固定されている。回転本体部６５０は、平面視円環状であり、ヘッドベース６１０に対して回転する駆動機構を備える。この駆動機構については後に詳細に説明する。
【００３６】
図６に示すように、回転本体部６５０は、連通口６２１，６３１に連通し、回転本体部６５０の中央側に設けられた平面視円形状の流入部６５１と、流入部６５１から径方向外向きに延びる吹出部６５２とを備える。これら流入部６５１及び吹出部６５２により、平面視Ｕ字形状の送風案内部６４１が形成されている。また、吹出部６５２の外側端の吹出口６４２に、可動式のルーバー６６０が配置されている。ルーバー６６０は、回転本体部６５０上に配置したステッピングモータ（第２駆動手段）６６１により上下方向に揺動される。外装カバー６７０は、連通口６３１の上部に位置する円形状の第１開口部６７１と、ルーバー６６０を含む吹出口６４２を露出させる第２開口部６７２とを備える。第２開口部６７２は、外装カバー６７０の側部に設けられており、吹出口６４２から側方へ除湿した空気を吹き出すことができる。第１開口部６７１の周囲には、内側に突出した係止部６７３が設けられている。
【００３７】
収容ケース６８０は、ヘッドベース６１０に送風部６４０を配置し、送風部６４０の第１開口部６７１内に位置するボス６３２にネジ止めすることにより固定されている。収容ケース６８０は、送風部６４０のヘッドベース６１０に対する後述の軸線Ｌ周りの回転は許容するが送風部６４０の軸線Ｌ方向（図において上方）のヘッドベース６１０に対する変位を規制する。送風部の６４０の軸線Ｌ方向の変位規制構造については後に詳細に説明する。収容ケース６８０は、上端開口の収容ケース本体６８１と、収容ケース本体６８１を閉塞するカバーパネル６８２とを備える。収容ケース本体６８１の内部には、図示しない操作基板が配置されている。カバーパネル６８２には、操作基板のスイッチに対応する入力部が形成されている。カバーパネル６８２の上部には、フランジ部６８４が形成されている。カバーパネル６８２のフランジ部６８４と外装カバー６７０の係止部６７３が係止することにより、送風部６４０は上方への変位が規制されている。
【００３８】
図７は、回転本体部６５０とヘッドベース６１０を下側から見た斜視図である。図７に示すように、回転本体部６５０は、底面側の全周にわたってギア部６５３を備える。ギア部６５３には、ギア６２４が噛合されている。ギア６２４は、ギア６２５，６２６を介してヘッドベース６１０の下部に配置した電動モータ（第１駆動手段）６２３により駆動される。電動モータ６２３の回転出力がギア６２６，６２５，６２４を介してギア部６５３に伝達され、それによって図１に示す本体１００の軸線Ｌを中心として回転本体部６５０が回転される。
【００３９】
図７に２点鎖線で示すように、ヘッドベース６１０の中央側に配置された連通口６２１，６３１を通過する処理空気は、回転本体部６５０の中央側に設けられた平面視円形状の流入部６５１を通過し、収容ケース本体６８１の下面により偏向される。偏向された処理空気は、回転本体部６５０の送風案内部６４１を通過し、送風部６４０の側部に設けられた吹出口６４２より吹き出される。本実施形態では、軸線Ｌは流入部６５１を通過しているが、連通口６２１，６３１を通過していない。具体的には、流入部６５１は、回転本体部６５０の回転中央に設けられている（軸線Ｌは流入部６５１の中心を通る）が、連通口６２１，６３１は、回転中央には設けられておらず、軸線Ｌから１．５ｍｍ離れた位置に配置されている。中央側とは、回転中央に連通口６２１，６３１が配置されている場合や回転中央を含まないが回転中央付近に配置されている場合を含むことをいう。
【００４０】
図７に２点鎖線で示された処理空気の流路と、１点鎖線で示された送風部６４０の回転軸である軸線Ｌは、概ね一致する。従って、処理空気は、いずれの方向に吹出口６４２が向いている場合でも、空気を簡単な経路で吹き出すことができる。このため、処理空気の流路は複雑になることがなく、ヘッド部６００内で圧力損失を生じて送風効率が低下することを防止できる。
【００４１】
図８Ａは回転本体部を下側から見た斜視図であり、図８Ｂは図８Ａの部分拡大図である。図８Ａ，Ｂに示すように、回転本体部６５０の下側には複数の第１のコロ６９１が配置されている。第１のコロ（第１の転動体）６９１は、軸線Ｌから径方向に等しい距離に等間隔で３個配置されている。本実施形態では３個の第１のコロ６９１を採用したが、４個以上であってもよい。第１のコロ６９１は、回転本体部６５０のコロ取付部６５４から部分的に下方へ突出して取り付けられている。第１のコロ６９１は第１の当接部６９１ａを備え、第１の当接部６９１ａが回転本体部６５０の下方に配置されたベースカバー６３０の上面（第１の受面）６３３（図６参照）と当接している。従って、回転本体部６５０が回転されると、ベースカバー６３０の上面６３３上を第１のコロ６９１が回転し、回転本体部６５０とベースカバー６３０との間の摩擦抵抗を低減する。
【００４２】
図９Ａは回転本体部を上側から見た斜視図であり、図９Ｂは図９Ａの部分拡大図である。図９Ａ，Ｂに示すように、回転本体部６５０には、流入部６５１の上部に複数の第２のコロ（第２の転動体）６９２が配置されている。第２のコロ６９２は、軸線Ｌから等距離に流入部６５１の周囲に等間隔で６個配置されている。第２のコロ６９２は、その軸を軸線Ｌと同方向に配置されており、カバーパネル６８２の側面６８３に当接する第２の当接部６９２ａを備える。従って、回転本体部６５０が回転されると、第２のコロ６９２は、カバーパネル６８２の側面（第２の受面）６８３上を回転し、回転本体部６５０とカバーパネル６８２との間の摩擦抵抗を低減する。また、送風部６４０の水平方向（軸線Ｌと交差する方向）の可動範囲を第２のコロ６９２の第２の当接部６９２ａとカバーパネル６８２の側面６８３とが当接することにより規制している。
【００４３】
なお、本実施形態では、流入部６５１は回転本体部６５０の回転中央に設けられているが、これに限定されず、流入部６５１は、その中心が軸線Ｌから少し離れた位置に設けられているものを含む。また、収容ケース（固定頂部）６８０は、回転本体部６５０の中央に設けられているが、これに限定されず、回転本体部６５０の中央に設けられていなくてもよい。
【００４４】
（第２実施形態）
図１０は、第２実施形態に係る除湿機１の概念的な断面図を示している。本実施形態の除湿機１は、ヘッド部６００の一部分以外の構成は図４の第１実施形態と同様である。従って、図４に示した構成と同様の部分については同様の符号を付して説明を省略する。
【００４５】
図１０に示すように、本実施形態の除湿機１は、第１実施形態と異なり、ヘッドベース６１０及び収容ケース６８０を備えていない。このため、本発明の回転部を構成する送風部６４０は、本実施形態では本体１００の上に配置され、本体１００に対して回転可能である。また、ヘッドベース６１０は、例えば本体１００の上面に一体に成形されていてもよい。このようにすることで、本実施形態では第１実施形態と比べ、部品数を減らし簡易な構成で除湿機１を実現できる。
【００４６】
（第３実施形態）
図１１Ａは、第３実施形態に係る第１の当接部６９３ａを下側から見た斜視図である。図１１Ｂは、第３実施形態に係る第２の当接部６９４ａを上側から見た斜視図である。本実施形態の除湿機１は、第１の当接部６９３ａ及び第２の当接部６９４ａに関連する部分以外の構成は図８Ｂ及び図９Ｂの第１実施形態と同様である。従って、図８Ｂ及び図９Ｂに示した構成と同様の部分については同様の符号を付して説明を省略する。
【００４７】
図１１Ａ及び図１１Ｂに示すように、本実施形態の除湿機１は、第１実施形態及び第２実施形態と異なり、第１のコロ６９１及び第２のコロ６９２を備えていない。具体的には、第１の当接部６９３ａについては、第１実施形態の第１のコロ６９１の代わりに第１のリブ部材６９３が配置され、その下端に第１の当接部６９３ａが設けられている。第１の当接部６９３ａはリブ状の下面を有し、ベースカバー上面６３３の上を摺動する。第２の当接部６９４ａについても同様に、第２のコロ６９２の代わりに第２のリブ部材６９４が配置され、その一端に第２の当接部６９４ａが配置されている。第２の当接部６９４ａはリブ状の一端を有し、カバーパネル側面６８３の上を摺動する。このようにして、送風部６４０が回転する際の回転抵抗を低減できる。
【００４８】
なお、本実施形態の除湿機１は、例えば室内を乾燥させることを目的とした室内空気を除湿対象とする他、衣類の乾燥を目的とした衣類の水分を除湿対象とするものや、これらの両方の目的を達成するものが含まれる。
【００４９】
また、除湿機を例に本発明を説明したが、本発明は、加湿器、空気調和機、サーキュレータ、冷風機、温風機、及び扇風機のような除湿機以外の送風装置にも適用できる。
【符号の説明】
【００５０】
１…除湿機（送風装置）
２…処理空気経路
２ａ〜２ｅ…処理空気経路の部分
３…再生空気経路
３ａ〜３ｅ…再生空気経路の部分
１００…本体（本体部）
１０１…ベース
１０２…基部
１０３…立壁部
１１０Ａ，１１０Ｂ…外装パネル
１１１Ａ，１１１Ｂ…補強パネル
１１２…吸込口
２００…除湿ロータ
２５０…ヒータ
２６０…ヒータケース
３００…主熱交換器
３２０…上部ヘッダ
３３０…下部ヘッダ
３５０…副熱交換器
３７０…上部ヘッダ
３８０…下部ヘッダ
４００…処理空気ファン（送風手段）
４１０…ファンケース
４１１…送出部
４５０…再生空気ファン
４６０…ファンケース
４６１…第１ダクト部
４６２…第２ダクト部
５００…ダクト部材
６００…ヘッド部
６１０…ヘッドベース
６２０…ベース本体
６２１，６３１…連通口
６２３…モータ（第１駆動手段）
６２４，６２５，６２６…ギア
６３０…ベースカバー
６３２…ボス
６３３…ベースカバー上面
６４０…送風部（回転部）
６４１…送風案内部
６４２…吹出口
６５０…回転本体部
６５１…流入部
６５２…吹出部
６５３…ギア部
６５４…コロ取付部（取付部）
６６０…ルーバー
６６１…モータ（第２駆動手段）
６７０…外装カバー
６７１…第１開口部
６７２…第２開口部
６７３…係止部
６８０…収容ケース（固定頂部）
６８１…収容ケース本体
６８２…カバーパネル
６８３…カバーパネル側面
６８４…フランジ部
６９１…第１のコロ（第１の転動体）
６９１ａ，６９３ａ…第１の当接部
６９２…第２のコロ（第２の転動体）
６９２ａ，６９４ａ…第２の当接部
６９３…第１のリブ部材（第１の転動体）
６９４…第２のリブ部材（第２の転動体）
７００…貯水部
７２０…貯水タンク
【図１】
0006297474.tif 000002
【図２】
0006297474.tif 000003
【図３Ａ】
0006297474.tif 000004
【図３Ｂ】
0006297474.tif 000005
【図４】
0006297474.tif 000006
【図５】
0006297474.tif 000007
【図６】
0006297474.tif 000008
【図７】
0006297474.tif 000009
【図８Ａ】
0006297474.tif 000010
【図８Ｂ】
0006297474.tif 000011
【図９Ａ】
0006297474.tif 000012
【図９Ｂ】
0006297474.tif 000013
【図１０】
0006297474.tif 000014
【図１１Ａ】
0006297474.tif 000015
【図１１Ｂ】
0006297474.tif 000016